(57)【特許請求の範囲】
【請求項１】
仕様の異なる複数もしくは単数の表示部を有する複数の表示端末と、前記表示部に表示する情報の配信元である情報配信者装置と、前記情報配信者装置から情報を受信し表示端末に配信する情報配信装置とがネットワークを介して接続されている情報配信システムにおいて、
前記情報配信者装置が送信する情報には、該情報の配信を所望する表示部の仕様と、該情報が表示形態の異なる複数のコンテンツデータの組合わせ型あるいは単一の表示形態の個別型であることを示すヘッダーを有し、
前記表示端末は、当該表示端末が有する表示部ごとの仕様を示す表示端末情報を前記情報配信装置に送信する制御部を具備し、
前記情報配信装置は、前記表示端末から送られてくる前記表示端末情報を登録する表示端末データベースと、前記情報配信装置から送られてきた情報が有するヘッダーにより、該情報が組合わせ型と判断した場合には、前記表示端末データベースを参照して、前記ヘッダーのそれぞれの表示形態の仕様に合致する複数の表示部を有する表示端末を選択し、該情報が個別型と判断した場合には、前記表示端末データベースを参照して、前記ヘッダーの仕様に合致する単一の表示部を有する表示端末を選択し、前記選択された表示端末に前記情報配信者装置から送られてきた情報を配信する制御部とを具備する、
ことを特徴とする情報配信システム。
【請求項２】
請求項１に記載の情報配信システムにおいて、
前記情報配信装置は、曖昧仕様コードと仕様コードの対応を表わす曖昧コード変換テーブルを具備し、
前記情報配信装置の制御部では、前記情報配信者装置から送られてきた情報に、配信を所望する表示部の仕様として曖昧仕様コードが指定されている場合、前記曖昧仕様コード変換テーブルを参照して前記曖昧仕様コードを仕様コードに置き換え、前記曖昧仕様コードに合った仕様の表示部を選択する、
ことを特徴とする情報配信システム。
【請求項３】
請求項１もしくは２に記載の情報配信システムにおいて、
前記情報配信装置は、前記表示端末に対する配信情報を管理する配信情報管理データベースを具備する、
ことを特徴とする情報配信システム。
【発明の詳細な説明】
【０００１】
【発明の属する技術分野】
本発明は、複数の表示端末、情報配信者装置、及び情報配信センタに置かれた情報配信装置がネットワークを介して接続され、配信元の情報配信者装置から受け取った情報を、情報配信装置が所望の表示端末に配信する情報配信システムに係り、詳しくは、仕様の異なる複数もしくは単数の表示部（ディスプレイ）を有する表示端末に情報を配信するシステムに関する。
【０００２】
【従来の技術】
従来から広告、ＣＭを表示するディスプレイを有した表示装置が街角、店先、駅などに存在し、屋外で人々に情報を発信している。また、個人が持つ携帯端末のほとんどはディスプレイを有し、各種情報を表示可能としている。
【０００３】
これらの表示装置は、電子的な広告データなどの情報を入力するフロッピードライブなどの入力装置と、該入力装置から入力された情報を記憶しておく記憶媒体とを有し、記憶媒体から情報を読み出し表示部に表示するものや、入力装置や記憶媒体を有せず、表示部がネットワークで繋がっており、外部のサーバからネットワークを通して情報が配信され、表示部でその情報を表示するものがある。
【０００４】
【発明が解決しようとする課題】
従来技術において、表示部（ディスプレイ）がネットワークで繋がり、ネットワークを介して情報を配信するシステムは、遠隔地の多数の場所に同時に情報を配信し、表示できる利点があるが、ディスプレイの仕様が端末により異なるため、広告をはじめとする種々の情報を送る際に、端末の種類ごとに個別に管理する必要がる。また、広告などの情報も表示形態に多くの種類が存在する。例えば、文字、画像、映像などである。これらは、必ずしも全てが高画質、大画面のディスプレイが必要であるわけではなく、それぞれ適したディスプレイの仕様がある。さらには、例えば、緊急災害が生じた場合などでは消費電力の多いディスプレイに緊急情報を表示した場合、停電等でディスプレイの表示がされず災害情報を適切に伝えることが出来ないといったことが生じうる。
【０００５】
本発明は、このような状況に鑑み為されたもので、端末の表示部の仕様の相違、情報の表示形態の相違等を統合的に管理し、多種多様の情報を配信するシステムを提供することにある。
【０００６】
【課題を解決するための手段】
本発明は、仕様の異なる複数もしくは単数の表示部を有する複数の表示端末、表示部に表示する情報の配信元である情報配送者装置、情報配信者装置からの情報を表示端末に配信する情報配信装置がネットワークを介して接続されているシステムにおいて、表示端末が有する表示部ごとの仕様（例えば、応答時間、画素数、表示色数、消費電力、画面サイズなど）を情報配信装置に登録し、情報配信装置は、情報配信者装置から送られてきた情報の表示形態に合致した仕様を持つ表示部を選定し、該表示部を有する表示端末に情報を配信するようにする。
【０００７】
情報配信者装置が送信する情報は、配信を所望する様々な仕様の表示部を指定することを可能とするため、へッダーに配信を所望する表示部の仕様コードを有する。この場合、情報配信者にとって、配信を所望する表示部の仕様の指定を簡単にするため、情報配信者が一般的に思い浮かべる表示部のイメージをコード化した曖昧仕様コードを、上記仕様コードに替えて、情報の配信を所望する表示部の仕様の指定に用いることができる。情報配信装置は、曖昧仕様コードを仕様コードに変換するための対応表を持っており、情報配信者装置から情報が送られてくると曖昧仕様コードに対応する仕様コードに置き換えて、曖昧仕様コードに合った仕様を持つ表示部を抽出し、情報を表示部を有する表示端末に配信する。
【０００８】
また、情報配信者装置が送信する情報は、ヘッダーに該情報が表示形態の異なる複数のコンテンツデータの組合せ型であるか単一の表示形態の個別型であるかを指定する。情報配信装置は、前記情報配信者装置から送られてきた情報を組合せ型と判断した場合には、それぞれの表示形態の仕様に合致する複数の表示部を有する表示端末を選択し、個別型である場合には、該仕様に合致する単一の表示部を有する表示端末を選択し、該選択した表示端末に前記情報を配信する。
【０００９】
情報配信装置から配信された情報は、表示端末の送受信部で受信され、表示端末の制御部に送られる。制御部では情報に書き込まれた表示端末ＩＤを読み、合致する表示部で情報を表示する。
【００１０】
【発明の実施の形態】
以下、本発明の一実施の形態について図面により詳述する。
図１は、本発明に係る情報配信システムの一実施形態を示すブロック図である。本情報配信システムは、情報配信センタに置かれる情報配信装置１００、仕様の異なる複数もしくは単数の表示部を有する複数の表示端末２００、所望の表示部に表示する情報の作成、配信元である情報配信者装置３００、及び、各装置１００、２００、３００が接続されるネットワーク４００で構成される。
【００１１】
情報配信センタに置かれる情報配信装置１００は、表示端末２００に情報の配信を所望する情報配信者が、情報配信者装置３００を使用して送信する情報を受信し、該情報が指定する仕様に合致した仕様の表示部を有する表示端末２００へ該情報を配信する。図１においては、情報配信装置１００は、表示端末２００や情報配信者装置３００と情報の送受信を行う送受信部１１０、情報の配信等のための種々の制御や処理を行う制御部（ＣＰＵ）１２０、表示端末２００が有する表示部の表示端末ＩＤ、仕様コード、属性、住所、可能データ形式などからなる表示端末情報を管理する表示端末データベース（以下、表示端末ＤＢ）１３０、曖昧仕様コードと仕様コードの対応を表わした曖昧仕様コード変換テーブル１４０、地図上の行政区分等を階層化して表わしたマップテーブル１５０、表示端末２００に配信した情報を管理する配信情報管理データベース（以下、配信情報管理ＤＢ）１６０、及び、タイマー１７０などで構成される。さらに、制御部１２０は、表示端末情報登録部１２１、仕様コード変換部１２２、配信端末選択部１２３、情報配信部１２４、配信情報管理部１２５などの処理部から構成される。この情報配信装置１００についての詳しい説明は後述する。
【００１２】
図２は、表示端末２００の一実施形態を示すブロック図である。表示端末２００は通常、仕様の異なる表示部を複数または単数有し、ネットワーク４００を介して情報配信センタに置かれた情報配信装置１００と接続されている。ここで、仕様が異なる表示部とは、例えば応答時間、画素数、表示色数、消費電力、画面サイズ、表示可能データなどの仕様要素が異なるディスプレイを指す。図２で示した表示端末２００の実施形態では、各々、仕様の異なる３台の表示部（ディスプレイ）２５０を備えているとする。
【００１３】
図２において、表示端末２００は、３台の仕様の異なる表示部２５０に加えて、情報配信装置１００へ表示端末情報の送信および情報配信装置１００から配信された情報の受信を行う送受信部２１０、情報配信装置１００から配信される情報を所望の表示部２５０へ表示制御し、また、情報配信装置１００へ送信する表示端末情報を作成する制御部２２０、端末ＩＤ、表示端末ＩＤ、配信された情報などを記憶する記憶装置２３０、タイマー２４０などから構成される。各表示部２５０は、当該表示部の仕様情報を記憶する記憶装置２５２を有している。
【００１４】
初めに、端末ＩＤ、表示端末ＩＤについて説明する。端末ＩＤは、送受信部２１０、制御部２２０、記憶装置２３０、タイマー２４０、及び、複数または単数の表示部２５０から構成される表示端末２００ごとに付けられた固有の番号であり、ここでは記憶装置２３０に記憶されている。一方、表示端末ＩＤは表示部２５０ごとにつける番号であり、端末ＩＤ＋表示部番号を表示端末ＩＤとする。例えば、図２に示したように、表示端末２００自体の端末ＩＤが「００００１」で、３台の表示部２５０の表示部番号が上から順番に１、２、３とすれば、これら表示部２５０の表示端末ＩＤは、それぞれ「００００１＿１」、「００００１＿２」、「００００１＿３」となる。なお、表示部が１つの表示端末の場合、表示部番号は１のみであり、従って、例えば端末ＩＤが「００００２」であれば、表示端末ＩＤは「００００２＿１」となる。端末ＩＤと同様に、表示端末２００が有する各表示部２５０ごとにつけられた表示端末ＩＤは記憶装置２３０に記憶される。表示部２５０の増設、取り外しをおこなった場合、制御部２２０で表示端末ＩＤの追加、削除を行い、記憶装置２３０に再記憶する。
【００１５】
次に、表示部情報の構成例について説明する。本実施例では、図３に示すように、表示部情報は、表示部２５０の仕様を表す仕様コードと、当該表示部２５０が表示可能であるデータ形式を示す可能データ形式と、どのような場所に設置されているかを示す属性と、設置地域を表す住所から構成されるとする。仕様コードは、画素数、画面サイズ、消費電力などの仕様情報をコード化して表わしたものである。図５に仕様情報と仕様コードの対応例を示す。例えば、ある表示部２５０の仕様が、画素数ＸＧＡ（１０２４＊７６８ドット）、画面サイズ１２．１型、消費電力６Ｗの場合、その仕様コードは「０５０３０４」となる。なお、図５で使用する符号と画素数の対応表を図６に示しておく。可能データ形式は、当該表示部２５０が表示可能なデータ形式、例えばテキスト、画像、映像といったデータ形式が記される。本実施例では、テキスト、画像、映像という言葉で表しているが、これをデータの種類を識別するために用いられる拡張子、例えばｔｘｔ、ｊｐｇ、ｇｉｆ、ａｖｉ、などを用いても良い。属性は、地下、街角、駅など、当該表示部が設置されている場所が記され、住所は設置地域を表わす町名などが記される。
【００１６】
図２において、各表示部２５０は、その記憶装置２５２内に、当該表示部の画素数、画面サイズ、消費電力などの仕様情報、テキスト、画像、映像といった当該表示部が表示可能なデータ形式、当該表示部の設置場所を示す属性、設置地域の住所等の情報を保持している。表示部２５０を制御部２２０と接続した際に、制御部２２０にて記憶装置２５２の内容が読み込まれる。制御部２２０は、図５に示すような仕様コード対応表を持っており、読み込んだ情報のうち、仕様情報を仕様コードに変換した後、読み込んだ残りの情報とともに、図３に示したような表示部情報を組み立てる。
【００１７】
記憶装置２３０には、表示端末２００が有する各表示部２３０の表示部情報が、その表示端末ＩＤとともに記憶されている。ここで、表示端末ＩＤと表示部情報からなる情報を表示端末情報と呼ぶことにする。例えば、図３に示した表示部情報に対する表示端末ＩＤが「００００１＿１」であれば、表示端末情報は、図４で示されるようになる。記憶装置２３０に記憶された各表示部ごとの表示端末情報は、制御部２２０にて読み出され、送受信部２１０を通して、情報配信センタに置かれた情報配信装置１００に送信され、表示端末ＤＢ１３０に登録される。情報配信装置１００内の表示端末ＤＢ１３０については後述する。
【００１８】
次に、図７により、情報配信者装置３００から情報配信装置１００に送られる配信を所望する情報（以下、配信元情報という）の一形態について説明する。図７（ａ）は配信元情報の一形態のフォーマット構成を示す図、同（ｂ）〜（ｅ）は配信元情報の具体例を示す図である。
【００１９】
配信元情報は、図７（ａ）に示すように、ヘッダー部７１０とコンテンツデータ７２０で構成される。ここで、ヘッダー部７１０には、当該配信情報を識別する固有の番号であるデータ番号７１１と、配信を所望する表示部の仕様情報である仕様コードもしくは曖昧仕様コード７１２と、どのような場所に設置している表示部に対して配信を所望するかを示す属性７１３と、配信を所望する表示部の設置地域を示す住所（位置）７１４と、表示端末の表示部に情報を継続して表示する時間である表示時間７１５などが含まれる。コンテンツデータ７２０は、表示部に表示させる情報そのものである。
【００２０】
図７（ｂ）〜（ｅ）の具体例は、配信先が異なる複数の情報で構成されている例である。矢印は、配信すべき情報が繋がっていることを示している。個々の情報の始まりは、個々のへッダー７１０の先頭に書き込まれたデータ番号７１１の部分で認識される。また、図７（ｂ）、（ｃ）のように、データ番号７１１の「＿」の前部の番号が同一のコンテンツデータは、同一の表示端末に配信されることを意味する。つまり、データ番号７１１の「＿」の前部の番号が同一のコンテンツデータ全て表示可能な表示部を有する表示端末にのみ、このコンテンツデータの組は配信される。これにより、表示形態の異なるコンテンツデータを組合せ、同一表示端末に表示させることで、幅広い表現力で情報を配信可能となる。これを組合せ型と呼ぶことにする。また、図７（ｄ）、（ｅ）の「０２＿１」、「０３＿１」のように、単独でその表示形態と合致する仕様コードを持った表示部に表示することを目的としたものを個別型と呼ぶことにする。なお、図２に示した複数の表示部２５０を有する表示端末２００は、異なる個別型のコンテンツデータを同時に表示することも有り得る。
【００２１】
次に、配信元情報の一構成要素である７１２の仕様コード、曖昧仕様コードについて説明する。例えば、図７（ｂ）、（ｃ）では、仕様コードとして「０５０３００」、「０３０１００」を指定している。仕様コードと仕様情報の対応は、図５に示した通りである。ここで、指定する仕様コードは、全ての仕様を厳密に指定する必要はなく、例えばコンテンツデータが画像データであり、ＸＧＡ（１０２４＊７６８ドット）用に作られたものであれば、画素数だけを厳密に指定し、その他の仕様項目（画面サイズ、消費電力）については指定しない（コード００）こともできる。また、災害時に避難情報などの緊急情報を配信する場合、仕様コードを「０００００１」と指定し、停電などを予想して、電池等で電力をまかなっている消費電力の小さい表示部を情報配信装置１００で抽出して、情報を配信するといったことも可能である。
【００２２】
図７（ｅ）は、仕様コードにかえて、曖昧仕様コードとして「Ｘ０１」を指定している例である。図８に曖昧仕様コードの一例を示す。また、この曖昧仕様コードと画面サイズの関係の一例を図９に示す。。曖昧仕様コードは、情報配信者が、曖昧に配信を所望する表示部の仕様を指定することを可能とするものである。曖昧仕様コードは、情報配信者が一般的に思い浮かべる表示部へのイメージでコード化されていることで、情報配信者にとって、配信を所望する表示部の指定を簡単にする。情報配信装置１００は、曖昧仕様コード変換テーブル１４０として、例えば図１０のような曖昧仕様コードと仕様コードの対応表を持っており、情報配信者装置３００から曖昧仕様コードを指定した配信情報が送られてくると、自動的に曖昧仕様コードに対応する仕様コードに置き換えて、曖昧仕様コードに合った仕様を持つ表示部を抽出し、情報を該表示部の表示端末に配信する。なお、情報配信者は、仕様コード、曖昧仕様コードを複数指定することも可能である。
【００２３】
属性７１３及び位置（住所）７１４は必ずしも指定する必要はなく、例えば、図７（ｅ）で示されるように、「渋谷」に設置された表示端末であれば、属性はこだわらない場合、属性の部分に「００」を指定しておく。また、位置（住所）７１４を東京と指定しておけば、住所が渋谷や新宿など東京都内の住所で登録されている表示端末に配信可能である。
【００２４】
コンテンツデータ７２０の形態は、画像、映像、テキスト、その他あらゆるディジタルデータで表現可能な形態を含む。ここで、表示部ごとに表示可能なコンテンツデータの形態は異なる。そこで、例えば図７（ｄ）のように表示形態の異なるコンテンツデータを複数用意し、情報配信者装置３００から情報配信装置１００に送ると、情報配信装置１００側が、所望する仕様を有する表示部の可能データ形式を調べ、表示可能なコンテンツデータを選択し、該当表示部の表示端末に配信する。
【００２５】
図１１は情報配信の具体的イメージを示した図である。但し、図１１で示された配信元情報等は簡略化して表わしたものである。また、情報配信装置１００から送信される情報は、ヘッダーのデータ番号が表示端末ＩＤに書き替えられているが、図１１では、便宜上、配信元情報のデータ番号のままとしている。
【００２６】
図１１で示されるように、例えば、情報配信者装置３００から４つの配信すべき情報が一括して情報配信装置１００に送信されてきた場合、情報配信装置１００は、上述したようにデータ番号から情報を組合せ型と個別型に分別する。この例では、「０１＿１」、「０１＿２」のデータ番号を有する二つの情報は組合せ型であり、「０２＿１」、「０３＿１」のデータ番号を有する残りの情報は個別型である。従って、「０１＿１」と「０１＿２」のデータ番号の二つの情報は同一の表示端末２００に配信する。また、「０２＿１」のデータ番号の情報と「０３＿１」のデータ番号の情報は、それぞれ異なる表示端末２００に配信する。さらに、「０３＿１」のデータ番号のものは曖昧仕様コード「Ｘ０１」であるため、情報配信装置１００では、該曖昧仕様コード「Ｘ０１」を仕様コード「０００７００」（図１０）に変換して配信する。なお、仕様が合致する場合、複数の表示部を有する同一表示端末２００に対して、「０２＿１」と「０３＿１」のデータ番号の各個別型の情報を配信することも有り得る。各表示端末２００の制御部２２０は配信されたきた情報を記憶装置２３０に一時的に記憶し、タイマー２４０を参照して、該情報に書き込まれた表示時間分の間、表示部２５０にコンテンツデータを表示する。
【００２７】
次に、図１に示した情報配信装置１００の処理について、特に制御部１２０を中心に詳述する。制御部１２０は、表示端末２００の表示端末情報を登録する表示端末登録部１２１と、情報配信者装置３００からの情報を表示端末２００に配信し管理するための各処理部１２２〜１２５とに分かれる。
【００２８】
表示端末登録部１２１では、各表示端末２００から送信された図４で示されるような表示端末情報を表示端末ＤＢ１３０に登録する。図１３は表示端末ＤＢ１３０の構成例を示したものである。表示端末２００が有する表示部２５０は追加、削除が可能であり、該表示部が追加、削除された場合、表示端末２００の制御部２２０から動的にその情報が情報配信装置１００に送られてくる。表示端末登録部１２１では、この情報をもとに、随時、表示端末ＤＢ１３０内の表示端末情報を更新する。
【００２９】
次に、仕様コード変換部１２２、配信端末選択部１２３、情報配信部１２４、配信情報管理部１２５での処理を説明する。これら処理部１２２〜１２５は、情報配信者装置３００から配信すべき情報が送信されてきた場合に動作するものである。
【００３０】
図１２は、情報配信者装置３００から配信すべき情報が送信されてきた場合の処理フロー図であり、以下、これにしたがって説明する。
【００３１】
情報配信装置１００は、情報配信者装置３００からの配信すべき情報（配信元情報）を送受信部１１０で受信すると、該情報を制御部１２０内の仕様コード変換部１２２に送る。配信元情報は図７で示したような構成になっている。仕様コード変換部１２２は、送受信部１１０から図７で示されるような情報を受け取ると（ステップＳ１）、まず、該情報の配信を所望する表示部の仕様の指定が、仕様コードでされているか、それとも曖昧仕様コードでされているかを調べる（ステップＳ２）。仕様コードでのみ表示部の仕様の指定が行われている場合、配信元情報をそのまま配信端末選定部１２３に渡す。曖昧仕様コードが使われている場合は、曖昧仕様コードを仕様コードに変換する（ステップＳ３）。
【００３２】
ここで、曖昧仕様コードから仕様コードへの変換処理について説明する。情報配信装置１００は、図１０で示されるような曖昧仕様コード変換テーブル１４０を持っている。仕様コード変換部１２２は、曖昧仕様コード変換テーブル１４０を参照して、配信元情報に書き込まれている曖昧仕様コードを、図１１に示すように対応付け、当該曖昧仕様コードを仕様コードに変換する。そして、この変換された仕様コードを配信元情報中の曖昧仕様コードへ上書して、配信端末選定部１２３に該情報を渡す。なお、先の図９は画面サイズと曖昧仕様コードの変換図であり、それぞれの曖昧仕様コードがどの範囲の画面サイズを含んでいるかを示したものである。図１０で示されるように、曖昧仕様コードには複数の仕様コードが含まれており、それら複数の仕様コードを全て書き込む。
【００３３】
配信端末選定部１２３では、仕様コード変換部１２２から渡された配信元情報について、ステップＳ４〜Ｓ７の処理を行う。
【００３４】
まず、ステップＳ４において、配信元情報のデータ番号を読み、コンテンツデータが組合せ型か個別型の配信かどうか判断する。組合せ型は、複数のコンテンツデータを同時に同じ表示端末で表示するよう指定されている場合であり、前述したように、データ番号で「＿」の前部の番号が同一のコンテンツデータの組みが組合せ型の配信を行なうデータである。組合せ型での配信が指定されているコンテンツデータの組みは、ステップＳ５の処理で表示端末の選定を行なう。また、それぞれのコンテンツデータが独立して配信される個別型の配信すべき表示部の選定は、ステップＳ６の処理で行なわれる。
【００３５】
ステップＳ５の処理では、組合せ型で配信するコンテンツデータの組みに対して、表示端末の選定を行なう。組合せ型の配信ではコンテンツデータの組みが表示可能な複数の表示部を有する表示端末が必要である。配信端末選定部１２３では、この必要となる同一表示端末に設置されている表示部の組みを表示端末ＤＢ１３０より検索する。図１３に示したように、表示端末ＤＢ１３０には、それぞれ表示部ごとの表示端末ＩＤ、仕様コード、可能データ形式、属性、住所からなる表示端末情報が登録されている。配信端末選択部１２３では、表示端末ＩＤの「＿」の前部が同一のものは同一表示端末であるとして、例えば、表示端末ＩＤ「００００１＿１」、「００００１＿２」を持つ表示部は、同じ表示端末に設置されているとして、表示端末ＤＢ１３０に登録されている表示部ごとの表示端末ＩＤ、属性、仕様コード、可能データ形式などを用いて、それぞれのコンテンツデータが必要とする表示部を有する表示端末の検索を行なう。表示端末が選定されると、ステップＳ７の処理に移る。なお、配信元情報に記されている住所に存在する表示端末の絞込みは、マップテーブル１５０を参照して行なう。マップ１５０は、例えば図１４で示すような住所同志の相関関係を表わした表を利用することも可能であるし、表示端末の所在をマッピングした地図データを用意して用いても良い。
一方、ステップＳ６の処理では、配信端末選択部１２３は、個別型のコンテンツデータについて、その表示形態に合致した仕様コード、属性、住所、可能データ形式を持つ表示部の表示端末ＩＤを表示端末ＤＢ１３０から検索し、配信すべき表示部を選定し、ステップＳ７の処理に移る。なお、配信元情報に記されている住所に存在する表示端末の絞込みは、同様にマップテーブル１５０を参照して行なう。
【００３６】
ステップＳ７の処理では、配信端末選択部１２３は、配信元情報とそのデータ番号ごとに配信する表示部の表示端末ＩＤと表示部の可能データ形式を、情報配信部１２４に送る。
【００３７】
情報配信部１２４では、例えば、図７（ｄ）のような複数あるコンテンツデータから表示部のデータ可能形式にあったコンテンツデータを選択し、ヘッダーに表示端末ＩＤを書き替え、配信すべき情報を送受信部１１０に送る（ステップＳ８）。
【００３８】
配信情報管理部１２５では、配信記録の管理を行なう（ステップＳ９）。すなわち、配信情報管理部１２５では、図１５のように、コンテンツデータのへッダーに書き込まれていたデータ番号、仕様コード、表示時間と配信時刻、配信先の表示部の表示端末ＩＤに対して管理番号をふり、配信情報管理ＤＢ１６０に記録する。配信時刻は、タイマー１７０を参照することにより得る。配信情報管理ＤＢ１６０は、配信管理を行なう必要がある場合に用いる。
【００３９】
送受信部１１０では、制御部１２０の情報配信部１２４から送られてきた情報を、コンテンツデータのへッダーに書き込まれた表示端末ＩＤの表示部を有する表示端末２００にネットワーク４００を介して配信する。
【００４０】
表示端末２００では、情報が情報配信装置１００から配信されてくると、図２に示されるように、送受信部２１０で該情報を受信し、制御部２２０に渡す。制御部２２０は、情報配信装置１００の情報配信部１２４で該情報に書き加えられた表示端末ＩＤを参照し、合致する表示部２５０にてコンテンツデータを表示せしめる。また、受信した情報は一時的に記憶装置２３０に保持される。制御部２２０は、受信した情報に書き込まれた表示時間を参照し、タイマー２４０と照らし合わせて、表示時間が終了後、表示を止める。
【００４１】
以上、本発明の一実施形態について説明したが、本発明は、ここで説明した実施形態に限定されるものでないことは云うまでもない。
【００４２】
【発明の効果】
以上説明したように、本発明によれば、様々な仕様を持つ表示部が多数、ネットワークを介して繋かっている場合においても、情報配信センタに置かれた情報配信装置において、各表示部ごとの仕様や表示形態を統合的に管理することで、配信元から送信されてくる様々な仕様の配信を所望する表示部に対する情報を、当該情報の仕様に合致した仕様を持つ表示部に容易に配信することが可能になる。この結果、例えば、災害時に非難情報などの緊急情報を配信する場合において、停電などを予想して、電池等で電力をまかなっている消費電力の小さい表示部を有する表示端末に対して、仕様コードを指定して、緊急情報を配信することも可能になる。
【図面の簡単な説明】
【図１】本発明の情報配信システムの一実施例を示すブロック図である。
【図２】本発明の情報配信システムを構成する表示端末の一実施例を示すブロック図である。
【図３】表示部情報の構成例を示す図である。
【図４】表示端末情報の構成例を示す図である。
【図５】仕様コード対応表の一実施例を示す図である。
【図６】画素数の表記方法についての補足図である。
【図７】情報配信装置から送信される情報の構成例を示す図である。
【図８】曖昧仕様コードの一実施例を説明するための表である。
【図９】曖昧仕様コードと画面サイズの対応の一実施例を示す図である。
【図１０】曖昧仕様コードと仕様コードの対応関係の一実施例を示す図である。
【図１１】本発明の情報配信システムにおける情報配信の具体的イメージを示す図である。
【図１２】情報配信装置での情報配信処理の一実施例を説明する流れ図である。
【図１３】図１における表示端末データベースの構成例を示す図である。
【図１４】図１におけるマップテーブルの一実施例を説明するために用いる図である。
【図１５】図１における配信情報管理データベースの構成例を示す図である。
【符号の説明】
１００  情報配信装置
１１０  送受信部
１２０  制御部
１２１  表示端末情報登録部
１２２  仕様コード変換部
１２３  配信端末選定部
１２４  情報配信部
１２５  配信情報管理部
１３０  表示端末
１４０  曖昧仕様コード変換テーブル
１５０  マップテーブル
１６０  配信情報管理ＤＢ
１７０  タイマー
２００  表示端末
２１０  送受信部
２２０  制御部
２３０  記憶装置
２４０  タイマー
２５０  表示部
３００  情報配信者装置
４００  ネットワーク
【図１】
0003625173.tif 000002
【図２】
0003625173.tif 000003
【図３】
0003625173.tif 000004
【図４】
0003625173.tif 000005
【図５】
0003625173.tif 000006
【図６】
0003625173.tif 000007
【図７】
0003625173.tif 000008
【図８】
0003625173.tif 000009
【図９】
0003625173.tif 000010
【図１０】
0003625173.tif 000011
【図１１】
0003625173.tif 000012
【図１２】
0003625173.tif 000013
【図１３】
0003625173.tif 000014
【図１４】
0003625173.tif 000015
【図１５】
0003625173.tif 000016